(57)【要約】【課題】印刷時のトリミング枠を保存し、トリミングが行われた画像に関しては、現在の印刷設定と同一のアスペクト比の画像のみを表示することができる画像処理装置を提供する。【解決手段】以前に印刷された画像の印刷履歴情報であって、トリミング領域及び用紙サイズに関する情報を含む印刷履歴情報を記憶するＮＶＲＡＭ１０４を備える。また、ＮＶＲＡＭ１０４に記憶されている印刷履歴情報に基づいて、印刷対象画像のトリミング領域を設定するＣＰＵ１０１を備える。ＣＰＵ１０１は、印刷履歴情報に基づいて画像の印刷を行う場合に、印刷履歴情報で特定される用紙サイズのアスペクト比とプリンタにセットされている用紙サイズのアスペクト比が異なる場合は、以下の制御を行う。即ち、プリンタにセットされている用紙サイズのアスペクト比を持ち、印刷履歴情報に基づいて決定された領域をトリミング領域として設定する。【選択図】図５
2010000765.tif 000002
【特許請求の範囲】
【請求項１】
印刷履歴情報に基づいて画像の印刷が可能なプリンタであって、
以前に印刷された画像の印刷履歴情報であって、トリミング領域及び用紙サイズに関する情報を含む印刷履歴情報を記憶する記憶手段と、
前記記憶手段に記憶されている印刷履歴情報に基づいて、印刷対象画像のトリミング領域を設定する制御手段とを備え、
前記制御手段は、前記印刷履歴情報に基づいて画像の印刷を行う場合に、前記印刷履歴情報で特定される用紙サイズのアスペクト比とプリンタにセットされている用紙サイズのアスペクト比が異なる場合は、前記プリンタにセットされている用紙サイズのアスペクト比を持ち、前記印刷履歴情報に基づいて決定された領域をトリミング領域として設定することを特徴とするプリンタ。
【請求項２】
印刷履歴情報に基づいて画像の印刷が可能なプリンタであって、
以前に印刷された画像の印刷履歴情報であって、トリミング領域及び用紙サイズに関する情報を含む印刷履歴情報を記憶する記憶手段と、
前記記憶手段に記憶されている印刷履歴情報に基づいて、印刷対象画像のトリミング領域を表示する表示手段とを備え、
前記表示手段は、前記印刷対象画像に対して複数の印刷履歴情報が存在し、前記プリンタにセットされている用紙サイズと同じアスペクト比を有する用紙サイズの印刷履歴情報が存在する場合は、前記プリンタにセットされている用紙サイズと同じアスペクト比を有する用紙サイズの印刷履歴情報のトリミング領域を表示することを特徴とするプリンタ。
【請求項３】
前記表示手段は、前記プリンタにセットされている用紙サイズと同じアスペクト比を有する用紙サイズの印刷履歴情報が複数存在する場合は、複数の印刷履歴情報に対応する複数のトリミング領域を表示することを特徴とする請求項２記載のプリンタ。
【発明の詳細な説明】
【技術分野】
【０００１】
本発明は、プリンタに関するものである。
【背景技術】
【０００２】
近年、デジタルカメラやカメラを搭載した携帯電話の普及、及び撮影した画像データを保存するためのメディア単価の下落により大量の画像データの撮影、保存が容易になった。
【０００３】
また、保存された画像データをプリンタで印刷するための手段も多岐に渡るようになっている。
【０００４】
その手段とは、例えば、撮影した画像をパーソナルコンピュータに取り入れてから接続されたプリンタに印刷データを送る手段、デジタルカメラや携帯電話からＰｉｃｔＢｒｉｄｇｅ等の共通規格を通してプリンタとデータのやりとりを行う手段である。
【０００５】
また、その手段とは、ＩｒＤＡ、Ｂｌｕｅｔｏｏｔｈ等の無線規格を通して画像データをプリンタに送信する手段、画像データを保存するＳＤカードやメモリスティック等のメディアを直接プリンタに挿入し、印刷したい画像データを選択する手段である。
【０００６】
画像データが保存されているメディアを直接挿入して印刷する手段は、複雑な操作を要求するパーソナルコンピュータを使わずに済むため、利便性が高い。
【０００７】
また、プリンタは、カメラや携帯電話等よりも大きいサイズのＬＣＤが搭載されるケースが多く、そのため画像の選択が容易なだけでなく、トリミングや画像の簡易な修正、画像にスタンプや縁出しを追加することが容易になる。そのため、これらの機能が搭載される機器（プリンタ）が増加している。
【０００８】
特に、入力する画像データの画素数の増加に伴い、必要な部分だけを切り取るトリミングを行う機会が今後ますます増加すると考えられる。
【０００９】
トリミングの枠は、出力するサイズのアスペクト比に依存するため、出力（印刷）する用紙のサイズや縁の有無等の設定を変更するたびに枠が変化するので、再設定を極力簡単にするため、以下の技術が提案されている。
【００１０】
即ち、例えば、確定した枠を管理用に保存しておき、同じアスペクト比で印刷を行う場合に、保存したトリミング枠を表示する技術が提案されている（特許文献１参照）。
【特許文献１】特開２００５−３２４５１２号公報
【発明の開示】
【発明が解決しようとする課題】
【００１１】
しかしながら、プリンタに画像を保存するためのメディアを用意し、既に印刷を行った画像を再度印刷する履歴印刷機能を備える場合には、トリミング枠の保存は確定したときの枠ではなく、印刷を行ったときの枠であることが好ましい。
【００１２】
また、履歴から印刷を行う場合に、現在の設定を考慮に入れ、トリミングの印刷を行った履歴に関しては、アスペクト比が異なると、所望の印刷が行えなくなるため、同じアスペクト比で印刷を行った履歴のみを表示することが望ましい。
【００１３】
本発明の目的は、印刷時のトリミング枠を保存し、トリミングが行われた画像に関しては、現在の印刷設定と同一のアスペクト比の画像のみを表示することができるプリンタを提供することにある。
【課題を解決するための手段】
【００１４】
上記目的を達成するために、請求項１記載のプリンタは、印刷履歴情報に基づいて画像の印刷が可能なプリンタであって、以前に印刷された画像の印刷履歴情報であって、トリミング領域及び用紙サイズに関する情報を含む印刷履歴情報を記憶する記憶手段と、前記記憶手段に記憶されている印刷履歴情報に基づいて、印刷対象画像のトリミング領域を設定する制御手段とを備え、前記制御手段は、前記印刷履歴情報に基づいて画像の印刷を行う場合に、前記印刷履歴情報で特定される用紙サイズのアスペクト比とプリンタにセットされている用紙サイズのアスペクト比が異なる場合は、前記プリンタにセットされている用紙サイズのアスペクト比を持ち、前記印刷履歴情報に基づいて決定された領域をトリミング領域として設定することを特徴とする。
【００１５】
請求項２記載のプリンタは、印刷履歴情報に基づいて画像の印刷が可能なプリンタであって、以前に印刷された画像の印刷履歴情報であって、トリミング領域及び用紙サイズに関する情報を含む印刷履歴情報を記憶する記憶手段と、前記記憶手段に記憶されている印刷履歴情報に基づいて、印刷対象画像のトリミング領域を表示する表示手段とを備え、前記表示手段は、前記印刷対象画像に対して複数の印刷履歴情報が存在し、前記プリンタにセットされている用紙サイズと同じアスペクト比を有する用紙サイズの印刷履歴情報が存在する場合は、前記プリンタにセットされている用紙サイズと同じアスペクト比を有する用紙サイズの印刷履歴情報のトリミング領域を表示することを特徴とする。
【発明の効果】
【００１６】
本発明のプリンタによって、トリミング機能を用いて印刷した画像を再度印刷する場合に、同じアスペクト比で行った印刷のみが表示されるため、ユーザは所望のトリミング枠を用いて印刷することが容易になる。
【発明を実施するための最良の形態】
【００１７】
以下、本発明の実施の形態を図面を参照しながら詳細に説明する。
【００１８】
（第１の実施の形態）
図１は、本発明の実施の形態に係るプリンタのブロック図である。
【００１９】
図１において、ＣＰＵ１０１はプリンタ全体を制御する。ＲＡＭ１０２は、ＣＰＵ１０１の動作用の定数、変数、プログラム、設定等を一時的に記憶するものであり、また、他のモジュールの中間生成データが格納される。ＲＯＭ１０３は、プリンタを動作させるため、ＣＰＵ１０１で実行するプログラムが格納されている。
【００２０】
ＮＶＲＡＭ１０４は、電源が切断されても情報を保持するためのメモリである。ＮＶＲＡＭ１０４には、ユーザが設定を変更した場合や、プリント（印刷）枚数や各プリンタに固有の情報が格納される。
【００２１】
カードスロット１０５は、画像データを格納したメディアを挿入するためのものである。メディアとしては、コンパクトフラッシュ(登録商標)、ＳＤカード、メモリスティック等が考えられるが、カードの種類によって本発明が限定されるものではない。
【００２２】
ＵＩモジュール１０６は、ユーザとのインターフェースを提供するものである。ＵＩモジュール１０６は、ユーザにプリンタの動作を通知するための表示を行うＬＣＤやＬＥＤと、ユーザからの印刷命令、印刷中止命令、印刷する画像の選択、設定の変更や電源のオン、オフ等を受け付ける複数のボタンからなる。
【００２３】
本実施の形態では、ＵＩモジュール１０６は、表示と操作を異なる部材としたが、ひとつの部材で表示と操作を行うことが可能なタッチパネル等でもよい。
【００２４】
画像変換モジュール１０７は、画像データを必要に応じて異なる画像フォーマットに変換するためのものである。画像変換モジュール１０７は、入力されたデータのフォーマットに応じてＵＩモジュール１０６で表示するために、入力された画像を変換し、また、印刷を行うために、画像フォーマットの変換を行う。
【００２５】
印刷モジュール１０８は、入力された画像を用紙に印字するためのものである。印刷する方式としては、華熱転写記録方式やインクジェット方式等が考えられるが、どの方式でも本発明には影響しないため、ここでは言及はしない。
【００２６】
電源モジュール１０９は、プリンタに電源を供給するためのものであり、ＡＣ電源や充電可能なバッテリ等が考えられる。
【００２７】
履歴管理モジュール１１０は、印刷された画像データの格納及び印刷時の設定を保存するものであり、印刷が実行されるときに、印刷の用紙サイズ、縁の有無設定、トリミング枠の情報、印刷された日付等を画像データの情報と関連付けて格納する。
【００２８】
ここで、ＵＩモジュール１０６は、印刷領域の設定を行う設定手段、画像の一部を印刷領域のアスペクト比に切り出すトリミング手段として機能する。
【００２９】
また、履歴管理モジュール２０９は、少なくとも印刷した履歴画像、トリミング情報、前記印刷領域を保存する履歴保存手段として機能する。
【００３０】
また、ＵＩモジュール１０６は、履歴保存手段によって保存された履歴画像の表示に際し、履歴画像のアスペクト比と設定手段により設定された印刷領域のアスペクト比が同一の場合には、履歴画像及びトリミング枠を表示する表示手段として機能する。
【００３１】
また、ＮＶＲＡＭ１０４は、以前に印刷された画像の印刷履歴情報であって、トリミング領域及び用紙サイズに関する情報を含む印刷履歴情報を記憶する記憶手段として機能する。
【００３２】
また、ＣＰＵ１０１は、記憶手段に記憶されている印刷履歴情報に基づいて、印刷対象画像のトリミング領域を設定する制御手段として機能する。ここで、制御手段は、印刷履歴情報に基づいて画像の印刷を行う場合に、印刷履歴情報で特定される用紙サイズのアスペクト比とプリンタにセットされている用紙サイズのアスペクト比が異なる場合は、以下のように制御する。即ち、プリンタにセットされている用紙サイズのアスペクト比を持ち、印刷履歴情報に基づいて決定された領域をトリミング領域として設定する。
【００３３】
また、ＵＩモジュール１０６は、記憶手段に記憶されている印刷履歴情報に基づいて、印刷対象画像のトリミング領域を表示する表示手段として機能する。ここで、表示手段は、印刷対象画像に対して複数の印刷履歴情報が存在し、プリンタにセットされている用紙サイズと同じアスペクト比を有する用紙サイズの印刷履歴情報が存在する場合は、以下の表示を行う。即ち、プリンタにセットされている用紙サイズと同じアスペクト比を有する用紙サイズの印刷履歴情報のトリミング領域を表示する。
【００３４】
また、表示手段は、プリンタにセットされている用紙サイズと同じアスペクト比を有する用紙サイズの印刷履歴情報が複数存在する場合は、複数の印刷履歴情報に対応する複数のトリミング領域を表示する。
【００３５】
図２は、図１におけるＵＩモジュールの構成（レイアウト）図である。
【００３６】
図２のＵＩモジュール１０６において、電源ボタン２０１は、電源モジュール１０９を制御するためのものである。省電力状態もしくは電源切断状態から、電源ボタン２０１が押されると印刷動作可能な状態になり、印刷動作可能な状態から電源ボタン２０１が押されると電源が切断される。
【００３７】
表示部２０２では、カードスロット１０５に挿入された画像の一部を切り取って印刷を行うためのトリミング枠の設定を行っている状態を表示している。
【００３８】
符号２０３から２１１は、ＵＩモジュール１０６に含まれるボタンである。
【００３９】
上下左右ボタン２０３、２０４、２０６、２０８は、画像選択を行う場合や、トリミング枠の移動の際に使用する。
【００４０】
確定ボタン２０５は、画像の選択を確定する場合や、トリミング枠の場所を確定するためのボタンである。印刷ボタン２０７が押された時点で選択された画像の印刷が行われる。キャンセルボタン２０９は、確定ボタン２０５を押した後に、その確定をキャンセルしたい場合に使用する。
【００４１】
履歴ボタン２１０を押すことによって、印刷された画像の履歴が一覧表示され、印刷したい画像の選択及び印刷することが可能である。編集ボタン２１１が押されると、選択された画像に対して、トリミング枠を設定し、スタンプや縁出しを画像に追加するモードに移行する。
【００４２】
図３は、図１のプリンタで印刷を行った履歴画像及びトリミング枠を時系列で示す図である。
【００４３】
履歴画像３０１から３０３において、それぞれ点線で囲まれた部分がトリミングされ、時系列で印刷される。
【００４４】
図４は、図３のように印刷された場合の履歴管理モジュールにおける内部データを示す図である。
【００４５】
履歴情報４０１は履歴画像３０３、履歴情報４０２は履歴画像３０２、履歴情報４０３は履歴画像３０１の履歴情報である。それぞれ、次の履歴へのポインタ、縁（フチ）の有無、用紙サイズ、トリミング枠の位置情報、印刷された日付、画像へのポインタが格納されている。
【００４６】
ここで、履歴情報４０１と４０３は、縁設定及び用紙サイズが同一であることから、同一アスペクトであることがわかる。また、履歴情報４０１、４０２、４０３における画像へのポインタが同一の画像４０４を指していることから、これらの履歴は同一の画像を印刷していることがわかる。
【００４７】
図５は、図１のプリンタによって実行される履歴画像の表示処理の手順を示すフローチャートである。
【００４８】
本処理は、図２における履歴ボタン３１０が押されることで、図１におけるＣＰＵ１０１の制御の下に実行される。
【００４９】
図５において、まず、ステップＳ５０１で、現在の設定から縁の有無、及び挿入されている用紙から印刷領域のアスペクト比を算出する。次に、ステップＳ５０２で、印刷を行った履歴画像があるかどうかを判断する。
【００５０】
ここで、ステップＳ５０１は、印刷領域のアスペクト比を算出する算出手段として機能する。また、ステップＳ５０２は、印刷を行った履歴画像があるか否かを判断する第１の判断手段として機能する。
【００５１】
印刷を行った履歴画像がない場合には、終了する。印刷を行った履歴画像があれば、ステップＳ５０３で、画像（履歴画像）を表示する領域が残っているかどうかの判断を行い、残っていなければ、終了する。
【００５２】
ここで、ステップＳ５０３は、第１の判断手段により履歴画像があると判断された場合に、履歴画像にトリミング情報があるか否かを判断する第２の判断手段として機能する。
【００５３】
表示領域がある場合には、ステップＳ５０４に移り、トリミング情報があるかどうかの判断を行う。トリミング情報がなければ、ステップＳ５０５で、画像の表示を行い、再び、ステップＳ５０２に戻る。
【００５４】
トリミング情報がある場合には、ステップＳ５０６で、そのトリミング情報を有する履歴の縁の有無及び用紙サイズからアスペクト比を算出し、ステップＳ５０１で算出したアスペクト比と比較する。
【００５５】
ここで、ステップＳ５０６は、第２の判断手段によりトリミング情報があると判断された場合に、履歴画像のアスペクト比と算出手段で算出されたアスペクト比が同一であるか否かを判断する第３の判断手段として機能する。
【００５６】
履歴のアスペクト比と算出したアスペクト比が同じであれば、ステップＳ５０７で、トリミングの枠を表示し、ステップＳ５０５で画像を表示する。
【００５７】
ここで、ステップＳ５０５、Ｓ５０７は、第３の判断手段によりアスペクト比が同一であると判断された場合に、トリミング情報のトリミング枠を履歴画像とともに表示する表示手段として機能する。
【００５８】
履歴のアスペクト比と算出したアスペクト比が異なれば、画像の表示は行わずに、ステップＳ５０２に戻り、次の印刷履歴画像があるかどうかのチェックを行う。
【００５９】
例えば、図３のような順序で画像の印刷を行った場合において、プリンタの用紙がＡ４で縁ありの設定であった場合には、履歴ボタン２１０が押された場合に、履歴画像３０１、３０３が表示される。
【００６０】
また、例えば、用紙がＢ５であった場合には、どれもアスペクト比が異なるため、表示されない。尚、ここでは設定のアスペクト比と異なる画像は表示しないようにしているが、トリミング枠を除いて画像のみを履歴として表示することも考えられる。
【００６１】
図６は、図１のプリンタによって実行される履歴画像の印刷処理の手順を示すフローチャートである。
【００６２】
本処理は、図１におけるＣＰＵ１０１の制御の下に実行される。
【００６３】
図６において、まず、ステップＳ６０１で、履歴（履歴情報）から印刷する画像（履歴画像）の選択を行う。
【００６４】
ここで、ステップＳ６０１は、表示手段に表示された履歴画像から印刷画像を選択する選択手段として機能する。
【００６５】
次に、ステップＳ６０２で、選択した画像がトリミングを用いて印刷されたものかどうか（トリミング情報の有無）の判断を行う。
【００６６】
トリミングを行っていない場合には、通常の通りに、ステップＳ６０３で、画像の表示を行い、ステップＳ６０４で、印刷ボタン２０７が押されたら、ステップＳ６０５で印刷を行い、処理を終了する。
【００６７】
ここで、ステップＳ６０５は、選択手段により選択された印刷画像を印刷する印刷手段として機能する。
【００６８】
また、ステップＳ６０６で、キャンセルボタン２０９が押されたらステップＳ６０１に戻り、履歴から印刷画像の選択を行う。
【００６９】
ステップＳ６０２で、トリミングを用いて印刷された画像が選択された場合には、ステップＳ６０７で、画像及びトリミング枠の表示を行う。次に、ステップＳ６０８で、選択された同じ画像で、かつ同一アスペクト比で印刷されている履歴を探す（履歴の有無を判断する）。
【００７０】
上記の履歴がなかった場合には、ステップＳ６０４で、印刷ボタン２０７の押下の有無のチェックに移行する。上記の履歴があった場合には、ステップＳ６０９で、履歴のトリミング枠を重ねて表示する。
【００７１】
次に、ステップＳ６１０で、表示している表示トリミング枠の数が３を超えていたら、ステップＳ６０４に移行し、印刷ボタン２０７が押されたか判断する。印刷ボタン２０７が押されていない場合は、ステップＳ６０６で、キャンセルボタン６０６が押されたか判断する。
【００７２】
表示トリミング枠の数が３以下であった場合には、ステップＳ６０８に戻り、より古い履歴で同一画像かつ同一アスペクト比の履歴がないか検索を行う。
【００７３】
このようにして、同一画像で同じアスペクト比で印刷したトリミング枠を表示することによって、所望のトリミング枠を探すことが容易になる。
【００７４】
例えば、図３のような順序で印刷を行った場合、履歴画像３０３が選択された場合には、図７に示すように、履歴画像３０１のトリミング枠がトリミング枠７０１として、また、履歴画像３０３のトリミング枠がトリミング枠７０２として表示されている。
【００７５】
ここで、履歴画像３０２に対応するトリミング枠がないのは、履歴画像３０２のトリミング枠のアスペクト比が履歴画像３０３と異なっており、そのままでは印刷できないためである。このように、印刷できないトリミング枠は自動的に外れる。
【００７６】
（第２の実施の形態）
基本的には第１の実施の形態と同じ構成であるため、異なる構成のみ説明する。
【００７７】
本実施の形態では、プリンタの給紙トレイにセットされている用紙の用紙サイズの情報を取得可能である。履歴印刷が選択され、印刷履歴にトリミング領域の設定がある場合には、用紙サイズの情報を取得する。用紙サイズよってアスペクト比が異なりトリミング領域のアスペクト比も異なる。
【００７８】
そのため、印刷履歴の用紙サイズのアスペクト比とプリンタから取得した用紙サイズのアスペクト比が異なる場合は、プリンタから取得した用紙サイズのアスペクト比に合わせてトリミング領域を設定し表示する。トリミング領域の決定は、印刷履歴の情報を基に決定され、印刷履歴でのトリミング領域が内接するトリミング領域が決定される。
【００７９】
ここで決定されるトリミング領域は、印刷履歴のトリミング領域よりも大きくなり、画像をはみ出す可能性がある。トリミング領域が画像からはみ出す場合はトリミング枠を移動させて、画像からはみ出ないようにする。
【００８０】
このようにしてトリミング領域を決定し、決定したトリミング領域の表示やトリミング領域の画像を印刷する。印刷履歴の用紙サイズのアスペクト比とプリンタから取得した用紙サイズのアスペクト比が同一である場合は、印刷履歴のトリミング領域にトリミングが決定され、表示や印刷処理が行われる。
【００８１】
（第３の実施の形態）
基本的には第１の実施の形態と同じ構成であるため、異なる構成のみ説明する。
【００８２】
本実施の形態では、プリンタの給紙トレイにセットされている用紙の用紙サイズの情報を取得可能である。履歴印刷が選択され、印刷履歴にトリミング領域の設定がある場合には、用紙サイズの情報を取得する。用紙サイズよってアスペクト比が異なりトリミング領域のアスペクト比も異なる。
【００８３】
印刷履歴で印刷対象となっている画像について複数の印刷履歴が保存されているかチェックし、複数の印刷履歴がある場合は、プリンタから取得した用紙サイズと同じ用紙サイズの印刷履歴があるかチェックする。
【００８４】
印刷対象画像についてプリンタから取得した用紙サイズと同じ用紙サイズの印刷履歴がある場合は、その印刷履歴で設定されているトリミング領域を印刷対象画像と共に表示する。プリンタから取得した用紙サイズと同じ用紙サイズの印刷履歴が複数ある場合は、複数のトリミング領域に対応するトリミング枠を印刷対象画像に重ねて表示しても良い。
【００８５】
また、最初に選択された印刷履歴の用紙サイズがプリンタの用紙サイズと異なる場合は、第２の実施の形態のようにトリミング領域を決定し、他の印刷履歴のトリミング枠と共に印刷対象画像に重ねて表示しても良い。
【００８６】
また、プリンタの設定と同じ用紙サイズの印刷履歴のトリミング枠だけでなく、プリンタ２セットされている用紙サイズと同じアスペクト比を持つ用紙サイズの印刷履歴のトリミング枠を表示するようにしても良い。
【図面の簡単な説明】
【００８７】
【図１】本発明の実施の形態に係るプリンタのブロック図である。
【図２】図１におけるＵＩモジュールの構成（レイアウト）図である。
【図３】図１のプリンタで印刷を行った履歴画像及びトリミング枠を時系列で示す図である。
【図４】図３のように印刷された場合の履歴管理モジュールにおける内部データを示す図である。
【図５】図１のプリンタによって実行される履歴画像の表示処理の手順を示すフローチャートである。
【図６】図１のプリンタによって実行される履歴画像の印刷処理の手順を示すフローチャートである。
【図７】図３に示す履歴画像のうち同一のアスペクト比の履歴画像を表示した図である。
【符号の説明】
【００８８】
１０１  ＣＰＵ
１０２  ＲＡＭ
１０３  ＲＯＭ
１０４  ＮＶＲＡＭ
１０５  カードスロット
１０６  ＵＩモジュール
１０７  画像変換モジュール
１０８  印刷モジュール
１０９  電源モジュール
１１０  履歴管理モジュール
【図１】
2010000765.tif 000003
【図２】
2010000765.tif 000004
【図３】
2010000765.tif 000005
【図４】
2010000765.tif 000006
【図５】
2010000765.tif 000007
【図６】
2010000765.tif 000008
【図７】
2010000765.tif 000009